(57)【要約】  本発明は、モールス符号（morse  signal）を応用した２クリック（two-click）キーパッドの文字入力構造及び入力方法、並びにその方法が記録された記録媒体に関し、入力手段の文字入力構造において、左右（または上下）に仕分けて配列したモールス符号のトン（・）キーパッド、トントン（・・）キーパッド、トントントン（・・・）キーパッドから構成されるトン（・）系列のキーパッドと、モールス符号のツー（−）キーパッド、ツーツー（−−）キーパッド、ツーツーツー（−−−）キーパッドから構成されるツー（−）系列のキーパッド、そして１つの機能キーパッドから構成された７個のキーパッドのうち、２つのキーパッドを選択的に組合せて文字を生成するモールス符号を応用した２クリック（two-click）キーパッドの文字入力構造及び入力方法である。【選択図】図２
2010525446.tif 000002
【特許請求の範囲】
【請求項１】
入力手段の文字入力構造であって、
モールス符号のうちの１つ以上の連続したトン（・）キーパッドと、モールス符号のうちの１つ以上の連続したツー（−）キーパッドを、入力手段の左右または上下に仕分けて配列し、
１つ以上の連続したトン（・）キーパッドのうちのいずれか１つ以上のキーパッドを入力した後、１つ以上の連続したツー（−）キーパッドのうちのいずれか１つ以上のキーパッドを入力したり、１つ以上の連続したツー（−）キーパッドのうちのいずれか１つ以上のキーパッドを入力した後、１つ以上の連続したトン（・）キーパッドのうちのいずれか１つ以上のキーパッドを入力することにより、文字が生成されるように構成する
ことを特徴とするモールス符号を応用した２クリックキーパッドの文字入力構造。
【請求項２】
１つ以上の連続したトン（・）キーパッドのうちのいずれか１つ以上のトン（・）キーパッドを連続入力したり、１つ以上の連続したツー（−）キーパッドのうちのいずれか１つ以上のツー（−）キーパッドを連続入力することにより、文字が生成されるように構成する
請求項１に記載のモールス符号を応用した２クリックキーパッドの文字入力構造。
【請求項３】
入力手段の文字入力構造であって、
モールス符号のトン（・）キーパッド、トントン（・・）キーパッド、トントントン（・・・）キーパッドから構成されるトン（・）系列のキーパッドと、モールス符号のツー（−）キーパッド、ツーツー（−−）キーパッド、ツーツーツー（−−−）キーパッドから構成されるツー（−）系列のキーパッドを、入力手段の左右または上下に仕分けて配列し、
トン（・）系列のうちのいずれか１つのキーパッド入力後にツー（−）系列のうちのいずれか１つのキーパッドを入力したり、ツー（−）系列のうちのいずれか１つのキーパッド入力後にトン（・）系列のうちのいずれか１つのキーパッドを入力することにより、文字が生成されるように構成する
ことを特徴とするモールス符号を応用した２クリックキーパッドの文字入力構造。
【請求項４】
トン（・）系列のうちのいずれか１つ以上のトン（・）キーパッドを連続入力したり、ツー（−）系列のキーパッドのうちのいずれか１つ以上のツー（−）キーパッドを連続入力することにより、文字が生成されるように構成する
請求項３に記載のモールス符号を応用した２クリックキーパッドの文字入力構造。
【請求項５】
前記入力手段が、
ディスプレイ手段によりハングル文字または英文字を入力できるように方向性を有する拡張文字を提供する
請求項１または３に記載のモールス符号を応用した２クリックキーパッドの文字入力構造。
【請求項６】
2010525446.tif 000009
【請求項７】
モールス符号のトン（・）キーパッドに英文字‘e’を含み、
モールス符号のトントン（・・）キーパッドに英文字‘ｉ’を含み、
モールス符号のトントントン（・・・）キーパッドに英文字‘ｓ’を含み、
モールス符号のツー（−）キーパッドに英文字‘ｔ’を含み、
モールス符号のツーツー（−−）キーパッドに英文字‘ｍ’を含み、
モールス符号のツーツーツー（−−−）キーパッドに英文字‘ｏ’を含んで基本文字を構成し、かつ、
各キーパッド毎に、基本文字の以外の英文字を入力できるように方向性を有する拡張文字を更に含む
請求項３に記載のモールス符号を応用した２クリックキーパッドの文字入力構造。
【請求項８】
モールス符号のトン（・）とツー（−）、ハングル文字、及び英文字は、キーパッドの上に陽刻、陰刻、または印刷された文字形態のうちのいずれか１つ以上を用いて表示する
請求項１、３、６、７のいずれかに記載のモールス符号を応用した２クリックキーパッドの文字入力構造。
【請求項９】
前記入力手段が、モールス符号の分かち書きを遂行する特定キーパッドを付加して構成される
請求項１または３に記載のモールス符号を応用した２クリックキーパッドの文字入力構造。
【請求項１０】
トン（・）キーパッドとツー（−）キーパッドは、
トン（・）符号に対応するキーパッドとツー（−）符号に対応するキーパッドとで構成される
請求項１または３に記載のモールス符号を応用した２クリックキーパッドの文字入力構造。
【請求項１１】
モールス符号のうちの連続した１つ以上のトン（・）符号と、モールス符号のうちの連続した１つ以上のツー（−）符号とに対応するキーパッドを含む入力手段の文字入力方法であって、
モールス符号のうちの１つ以上のトン（・）符号を入力した後に１つ以上のツー（−）符号を入力したり、またはモールス符号のうちの１つ以上のツー（−）符号を入力した後に１つ以上のトン（・）符号を入力して文字を生成する
ことを特徴とするモールス符号を応用した２クリックキーパッドの文字入力方法。
【請求項１２】
１つ以上のトン（・）符号を連続入力したり、１つ以上のツー（−）符号を連続入力して文字を生成することを更に含む
請求項１１に記載のモールス符号を応用した２クリックキーパッドの文字入力方法。
【請求項１３】
モールス符号のトン（・）キーパッドに英文字‘Ａ’を含み、
モールス符号のトントン（・・）キーパッドに英文字‘Ｓ’を含み、
モールス符号のトントントン（・・・）キーパッドに英文字‘Ｕ’を含み、
モールス符号のツー（−）キーパッドに英文字‘Ｇ’を含み、
モールス符号のツーツー（−−）キーパッドに英文字‘Ｏ’を含み、
モールス符号のツーツーツー（−−−）キーパッドに英文字‘Ｌ’を含んで基本文字を構成し、かつ、
各キーパッド毎に、基本文字の以外の英文字を入力できるように方向性を有する拡張文字を更に含む
請求項３に記載のモールス符号を応用した２クリックキーパッドの文字入力構造。
【請求項１４】
モールス符号のうちの連続した１つ以上のトン（・）キーパッドと、モールス符号のうちの連続した１つ以上のツー（−）キーパッドとを含む入力手段の文字入力構造または文字入力方法において、
請求項１、３、６、７、１１、１３のいずれかに記載のモールス符号を応用した２クリックキーパッドの文字入力構造またはモールス符号を応用した２クリックキーパッドの文字入力方法により入力されたいずれか１つ以上のトン（・）符号またはツー（−）符号を、ハングル文字、英文字、特殊文字、またはその他の多くの国家の言語に変換するプログラムが記録された
ことを特徴とするコンピュータにより処理可能な記録媒体。
【発明の詳細な説明】
【技術分野】
【０００１】
本発明は、モールス符号を応用した２クリックキーパッドの文字入力構造及び入力方法、並びに、その方法が記録された記録媒体に関する。より詳しくは、従来のモールス符号を改善した２クリック（two-click）キーパッドを用いてハングル文字、英文字、特殊文字、またはその他の種々の言語を容易に入力できるモールス符号を応用した２クリックキーパッドの文字入力構造及び入力方法、並びにその方法が記録された記録媒体に関する。
【背景技術】
【０００２】
現在、モバイルインターネットの急速な普及により、携帯端末機（セルラーホン、ＰＣＳ、ＰＤＡ、ＰＭＰ、ＰＳＰ、電子辞書、ナビゲーション、ＵＭＰＣ、ノートブック等）の使用が増加するにつれて、文字入力を容易にするための多様な方法が試みられている。文字入力の便利性、迅速性、正確性、移動性を満たす入力方式に対する開発の必要性が顕在化している。現在、携帯端末機の文字入力手段は、０〜９の数字キーに割り当てられた文字を探して押さえて１文字ずつ完成する方式、クォティキーパッドを取り付けたりこれを接木したＬＣＤタッチスクリーンを用いる方式、折畳式キーボードを連結して使用する方式などがある。
【０００３】
上記携帯端末機を用いて単文を転送するために、ユーザは上記携帯端末機を単文入力モードに切り換えた後、希望するメッセージを入力するようになるが、メッセージ入力時、電話通話モードでダイヤルボタンに使われるキーパッドが文字入力のためのキーボードとして使われる。ハングル入力方法には多様な方法が提案されたが、従来の携帯端末機に使われるハングル文字入力方法は‘天地人’という子音と母音とを個別に入力して字を完成する方法と、‘ウツムハングル’のように子音と完成された母音とを個別に入力して文字を完成する方法が使われている。
【０００４】
2010525446.tif 000003
【０００５】
上記‘ウツムハングル’の原理は、キーパッドの初めの入力は常に子音から始まり、初めの文字の初めの子音と末子音で終わった次の文字の初めの子音は、必ず母音と組み合わせられるようにしたものであって、子音と完成された母音との組合せにより文字を完成させ、統一文字盤に基づいて作ったので、携帯端末機上で文字の入力がやさしい方である。
【０００６】
しかしながら、上記従来のハングル文字入力方法は、１つのキーパッドに子音と母音とが共に設定されているので、文字入力時に動線が長いという問題点があった。
【０００７】
英文入力方法には、クォティ（qwert）キーパッドを取り付けていない大慨の携帯端末機は１つの数字キーパッドに２〜４個の英文字を割り当てて、希望する文字を入力するために特定キーを１回または繰り返して２〜４回押さえて該当文字を選択的に組合せて文字を生成する方式を用いている。また、同一な数字キーに割り当てられた文字群は押さえ時間差をおいたり移動キーを押さえなければ、次の文字が入力できない構造をしている。
【０００８】
したがって、クォティキーパッドと異なり、特定キーのみを繰り返して押さえるとか、次の文字を入力するために人為的な時間差をおくことは入力速度を阻害する１つの要因として作用する。併せて、携帯を容易にするために携帯端末機が小型化するにつれて、クォティキーパッドを取り付けても端末機サイズに比例してクォティキーパッドのサイズも小さくなるにつれて、視覚的や使用においても不便があった。
【０００９】
一方、現在その利用は極めて制限的であると考えられるが、モールス通信はトン（dot：・）とトンの３倍の長さであるツー（dash：−）で構成された２つの電気的信号のみを用いて、モールスキー（morse key）を使用して接点の断続時間差を用いてモールス符号に変換された文字を転送する方法があり、これを直ぐにキーパッドに適用しても片手のみを用いて容易にハングルや英文字または特殊文字などを容易に入力することができ、文字を入力するためのキーパッド数を格段に減らすことができるが、相対的にキー押さえ回数が格段に増加して１つの文字を入力するために多くの念を入れなければならないということは勿論、各文字に該当するモールス符号を暗記しなければ使用できないという短所があった。
【発明の概要】
【発明が解決しようとする課題】
【００１０】
本発明は、前述したような問題点を解決するために案出したものであって、現代人に習熟するようにモールスキー（morse key）に取り替えてトン（dot：）符号を入力するためのトン（dot：）キーパッドとツー（dash：）符号を入力するためのツー（dash：）キーパッド、そして時間差を強制して符号を仕分けるためのファンクションキーを有する２クリック（two-click）キーパッドを用いて、ハングル文字、英文字、特殊文字、またはその他の多くの国家の文字などを容易に入力できるモールス符号を応用した２クリックキーパッドの文字入力構造及び入力方法を提供することをその目的とする。
【課題を解決するための手段】
【００１１】
本発明の前述した目的は、入力手段の文字入力構造において、モールス符号のうちの１つ以上の連続したトン（・）キーパッドと、モールス符号のうちの１つ以上の連続したツー（−）キーパッドを入力手段の左右または上下に仕分けて配列し、１つ以上の連続したトン（・）キーパッドのうち、いずれか１つ以上のキーパッドを入力した後、１つ以上の連続したツー（−）キーパッドのうち、いずれか１つ以上のキーパッドを入力したり、１つ以上の連続したツー（−）キーパッドのうち、いずれか１つ以上のキーパッドを入力した後、１つ以上の連続したトン（・）キーパッドのうち、いずれか１つ以上のキーパッドを入力することにより文字が生成されるようにすることを特徴とするモールス符号を応用した２クリックキーパッドの文字入力構造を提供することにより達成できる。
【００１２】
また、モールス符号のトン（・）キーパッド、トントン（・・）キーパッド、トントントン（・・・）キーパッドから構成されるトン（・）系列のキーパッドと、モールス符号のツー（−）キーパッド、ツーツー（‐‐）キーパッド、ツーツーツー（−−−）キーパッドから構成されるツー（−）系列のキーパッドを入力手段の左右または上下に仕分けて配列し、トン（・）系列のうち、いずれか１つのキーパッド入力後、ツー（−）系列のうちのいずれか１つのキーパッドを入力したり、ツー（−）系列のうちのいずれか１つのキーパッド入力後、トン（・）系列のうちのいずれか１つのキーパッドを入力することにより文字が生成されるようにすることを特徴とするモールス符号を応用した２クリックキーパッドの文字入力構造を提供することにより達成できる。
【００１３】
また、モールス符号のうちの連続した１つ以上のトン（・）キーパッドと、モールス符号のうちの連続した１つ以上のツー（−）キーパッドとを含む入力手段の文字入力方法であって、モールス符号のうち、１つ以上のトン（・）符号を入力した後に１つ以上のツー（−）符号を入力したり、またはモールス符号のうち、１つ以上のツー（−）符号を入力した後に１つ以上のトン（・）符号を入力して文字を生成することを特徴とするモールス符号を応用した２クリックキーパッドの文字入力方法を提供することにより達成できる。
【００１４】
また、上記モールス符号を応用した２クリックキーパッドの文字入力構造またはモールス符号を応用した２クリックキーパッドの文字入力方法により入力されたいずれか１つ以上のトン（・）符号またはツー（−）符号を、ハングル文字、英文字、特殊文字、またはその他の多くの国家の言語に変換するプログラムが記録されたことを特徴とするコンピュータにより処理可能な記録媒体を提供することにより達成できる。
【発明の効果】
【００１５】
本発明によれば、２クリック（two-click）符号を用いた文字入力構造及び入力方法は、モールス符号を応用した２クリック（two-click）キーパッドを提供することで、ハングル文字または英文字を一般人だけでなく、障害者（視覚、手）も容易に利用できる効果が得られる。
【００１６】
また、入力手段の文字板数（またはキーパッド数）を画期的に減らすことによって、視覚に大きく依存しなくても車両などの移動中にも片手で文字を入力できることは勿論、身体付着型キーパッドに活用すれば、やはり片手だけでも非常に容易に文字を入力できる効果が得られる。
【００１７】
また、２クリック（two-click）キーパッドを取り付けて製品の小型化に非常に有利であり、その他の言語も２クリック（two-click）キーパッドに対応させるだけで容易に文字を具現できる効果が得られる。
【図面の簡単な説明】
【００１８】
【図１】従来のモールス符号に対応するハングル文字と英文字を示す説明図
【図２】本発明の好ましい一実施形態によるモールス符号を応用した２クリック（two-click）キーパッドの文字入力構造を示す説明図
【図３】本発明の一実施形態に従うモールス符号を応用した２クリック（two-click）キーパッドの文字入力構造と方向性を有する拡張文字を示す説明図
【図４】本発明の一実施形態による２クリック（two-click）モールス符号に対応するハングル文字と英文字を示す説明図
【図５】本発明の一実施形態に従う２クリック（two-click）モールス符号を用いた文字入力構造が適用された端末機を示す説明図
【図６】本発明の一実施形態に従う２クリック（two-click）モールス符号を用いた文字入力構造が適用された他の端末機を示す説明図
【図７】本発明の一実施形態に従う２クリック（two-click）モールス符号を用いた文字入力構造が適用された更に他の端末機を示す説明図
【図８】本発明の一実施形態による２クリック（two-click）モールス符号を改善して入力速度を向上させた更に他の英文字を示す説明図
【発明を実施するための形態】
【００１９】
本発明の最も好ましい一実施形態の入力手段の文字入力構造として、モールス符号のうちの１つ以上の連続したトン（・）キーパッドと、モールス符号のうちの１つ以上の連続したツー（−）キーパッドとを入力手段の左右または上下に仕分けて配列し、１つ以上の連続したトン（・）キーパッドのうちのいずれか１つ以上のキーパッドを入力した後、１つ以上の連続したツー（−）キーパッドのうちのいずれか１つ以上のキーパッドを入力したり、１つ以上の連続したツー（−）キーパッドのうちのいずれか１つ以上のキーパッドを入力した後、１つ以上の連続したトン（・）キーパッドのうちのいずれか１つ以上のキーパッドを入力することにより文字が生成されるようにすることを特徴とするモールス符号を応用した２クリックキーパッドの文字入力構造を提供する。
【００２０】
モールス符号のトン（・）キーパッド、トントン（・・）キーパッド、トントントン（・・・）キーパッドから構成されるトン（・）系列のキーパッドと、モールス符号のツー（−）キーパッド、ツーツー（−−）キーパッド、ツーツーツー（−−−）キーパッドから構成されるツー（−）系列のキーパッドとを入力手段の左右または上下に仕分けて配列し、トン（・）系列のうちのいずれか１つのキーパッド入力後、ツー（−）系列のうちのいずれか１つのキーパッドを入力したり、ツー（−）系列のうちのいずれか１つのキーパッド入力後、トン（・）系列のうちのいずれか１つのキーパッドを入力することにより文字が生成されるようにすることを特徴とするモールス符号を応用した２クリックキーパッドの文字入力構造としてもよい。
【００２１】
モールス符号のうちの連続した１つ以上のトン（・）キーパッドと モールス符号のうちの連続した１つ以上のツー（−）キーパッドを含む入力手段の文字入力方法であって、モールス符号のうちの１つ以上のトン（・）符号を入力した後、１つ以上のツー（−）符号を入力したり、またはモールス符号のうちの１つ以上のツー（−）符号を入力した後、１つ以上のトン（・）符号を入力して文字を生成することを特徴とするモールス符号を応用した２クリックキーパッドの文字入力方法を提供する。
【００２２】
上記モールス符号を応用した２クリックキーパッドの文字入力構造またはモールス符号を応用した２クリックキーパッドの文字入力方法により入力されたいずれか１つ以上のトン（・）符号、またはツー（−）符号をハングル文字、英文字、特殊文字、またはその他の多くの国家の言語に変換するプログラムが記録されたことを特徴とするコンピュータにより処理可能な記録媒体を提供する。
【００２３】
以下、図面を参照しつつ本発明の好ましい一実施形態による２クリック（two-click）モールス符号を用いた文字入力構造及び入力方法をより具体的に説明する。
上記２クリック（two-click）は、ハングルの子音や母音、そして英語のアルファベットを入力するために従来には特定のキーを１回から数回押さえて表示したが、２クリック（two-click）キーパッドでは、どんなキーでも少なくとも２回以上押さえなければ１つの文字が生成できないことを本発明では意味する。
【００２４】
2010525446.tif 000004
【００２５】
図２は、本発明の好ましい一実施形態による２クリック（two-click）モールス符号を用いた文字入力構造を示す説明図である。図２を参照して、本発明の２クリック（two-click）モールス符号を用いた文字入力構造（以下、‘２クリック（two-click）キーパッド’という）を具体的に説明する。
【００２６】
本発明の特徴である２クリック（two-click）キーパッドは、コンピュータ、セルラーホン、スマートホン、ＰＤＡ、ＰＭＰ、ＰＳＰ、電子辞書、ＵＭＰＣ、ノートブックなどの入力手段を通じて提供されたり、別途に本発明の目的に符合するように製作された入力手段を通じて提供される。その構成を見ると、まず、モールス符号のうちのトン（・）符号に該当するトン（・）キーパッドを少なくとも１つ以上構成し、かつ図２に示すように、モールス符号のうちの１つ以上の連続したトン（・）符号をトン（・）キーパッド１１、トントン（・・）キーパッド１２、トントントン（・・・）キーパッド１３のように構成することができ、また、モールス符号のうちのツー（−）符号に該当するツー（−）キーパッドを少なくとも１つ以上構成し、かつ図２に示すようにモールス符号のうちの１つ以上の連続したツー（−）符号をツー（−）キーパッド２１、ツーツー（−−）キーパッド２２、ツーツーツー（−−−）キーパッド２３のように構成することができ、上記入力手段を通じた２クリック（two-click）キーパッドのトン（・）符号とツー（−）符号の構成は、これに限定するのではなく、当業者により多様な形態に変形して構成できることは自明である。
【００２７】
一実施形態として、当業者により上記トン（・）符号とツー（−）符号を“０”または“１”と表現するとか、上記トン（・）符号を“１”、トントン（・・）符号を“２”、トントントン（・・・）符号を“３”、ツー（−）符号を“４”、ツーツー（−−）符号を“５”、ツーツーツー（−−−）符号を“６”などに単純変形して前述したように構成することができる。
【００２８】
上記のように、入力手段を通じて構成された２クリック（two-click）キーパッドは、図２に示すように、いずれか１つの連続したトン（・）符号とツー（−）符号を入力手段の左右または上下に仕分けて配列するようになり、ユーザにより１つ以上の連続したトン（・）キーパッドと１つ以上の連続したツー（−）キーパッドのうち、２つを選択組合せて押さえることによって、ハングル文字、英文字、特殊文字、またはその他の多くの国家の文字を生成するようになる。
【００２９】
特に、上記入力手段にはいずれか１つ以上のトン（・）符号またはツー（−）符号が入力されれば、ハングル文字、英文字、特殊文字、またはその他の多くの国家の言語に変換するプログラムを更に含むことが好ましい。
【００３０】
上記２クリック（two-click）キーパッドに表示されたトン（・）符号とツー（−）符号は、入力手段のキーパッドの上に陽刻または陰刻することによって、一般人または障害者も容易に使用することができ、上記２クリック（two-click）キーパッドは、ハングル文章または英語文章を仕分けるために分かち書きを遂行したり、基本に提供される６個のキー（トン、トントン、トントントン、ツー、ツーツー、ツーツーツー）を組み合せて文字を生成するために使われたり、モールス符号を仕分けるためのSPACEキーパッド、‘＊’、または‘＃’などの特定のキーパッドを付加することもできる。
【００３１】
２クリック（two-click）キーパッドの詳細な文字入力方法は後述する。
【００３２】
図３は、本発明の一実施形態に従うモールス符号を応用した２クリック（two-click）キーパッドの文字入力構造と方向性を有する拡張文字を示す説明図である。図３を参照して２クリック（two-click）モールスキーパッドに付加される拡張文字についてより具体的に説明すれば、図２に示された２クリック（two-click）キーパッドは、既存のモールス符号（図１参照）や図４に示されたような変形されたモールス符号を先に熟知すれば誰も容易に使用できるように構成されたが、そうでない場合、または初めて接するユーザの場合にも２クリック（two-click）モールスキーパッドを目で見ながら容易に文字や符号を入力できるように構成された。
【００３３】
したがって、図３に示すように、トン（・）キーパッドとツー（−）キーパッドに基本文字と基本文字の以外の方向性を暗示する拡張文字を提供することで、誰でも容易に文字を入力することができる。
【００３４】
ここで、２クリック（two-click）キーパッドの独特の特徴は、互いに条件を異にする６個のキーパッドと任意の特定キーパッド１つ、総７個のキーパッドの中から選択された１つまたは２つのキーパッド組合せにより１つの固有文字や符号を生成するということである。
【００３５】
2010525446.tif 000005
【００３６】
拡張文字４０、４１は、図３に示すように、各々のキーパッドを上、中、下に仕分けて各々のハングル文字または英文字を構成することができ、上記の上、中、下の概念は基本文字に該当するキーパッドを押さえた後、反対側の上、中、下に位置するキーパッドを押さえることによって、該当文字が生成されることを示す方向性を有する文字となる。
【００３７】
上記の基本文字と拡張文字４０、４１は、入力手段と連結された多様なディスプレイ手段（図示せず）を通じても提供できることが特徴である。
【００３８】
2010525446.tif 000006
【００３９】
2010525446.tif 000007
【００４０】
図３を参照して一実施形態である２クリック（two-click）モールスキーパッドの拡張文字４０、４１のうち、英文字の場合をより具体的に説明する。
【００４１】
モールス符号のトン（・）キーパッド１１に英文字‘ｅ’を含み、モールス符号のトントン（・・）キーパッド１２に英文字‘ｉ’を含み、モールス符号のトントントン（・・・）キーパッド１３に英文字‘ｓ’を含み、モールス符号のツー（−）キーパッド２１に英文字‘ｔ’を含み、モールス符号のツーツー（−−）キーパッド２２に英文字'ｍ’を含み、モールス符号のツーツーツー（−−−）キーパッド２３に英文字‘ｏ’を含んで基本文字を構成し、また度各々のキーパッドには基本文字の以外の英文字を入力できるように方向性を有する拡張文字４０、４１を更に含むようになる。
【００４２】
即ち、図３に示すように、トン（・）キーパッド１１に基本文字の‘ｅ’の以外に拡張文字を、トン（・）キーパッドの上段に‘ｊ’を、中間に‘ｗ’を、下段には‘ａ’を位置させて表示するようになり、拡張文字の‘ｊ’を入力するためには左側のトン（・）符号のキーパッドのうちのトン（・）キーパッド１１を押さえた後、右側のツー（−）符号のキーパッドのうちの右上段に位置したツーツーツー（−−−）キーパッド２３を押さえることによって‘ｊ’が生成されるようになる。
【００４３】
図８は、本発明の一実施形態による２クリック（two-click）モールス符号を改善して入力速度を向上させた更に他の英文字を示す説明図である。図８は、図３に示された英文字の配置を英語アルファベット発生頻度を考えて、発生頻度の高いアルファベットを左側に主に配置することで、クォティキーパッドのように左右両側に配置されたキーをできるだけ交互に使用するようにすることで、入力速度を改善したし、より具体的に説明すれば、モールス符号のトン（・）キーパッドに英文字‘Ａ’を含み、モールス符号のトントン（・・）キーパッドに英文字‘Ｓ’を含み、モールス符号のトントントン（・・・）キーパッドに英文字‘Ｕ’を含み、モールス符号のツー（−）キーパッドに英文字‘Ｇ’を含み、モールス符号のツーツー（−−）キーパッドに英文字‘Ｏ’を含み、モールス符号のツーツーツー（−−−）キーパッドに英文字‘Ｌ’を含んで基本文字を構成し、また各々のキーパッドには基本文字の以外の英文字を入力できるように方向性を有する拡張文字を図８に示すように更に含むようになる。
【００４４】
即ち、図８に示すように、トン（・）キーパッドに基本文字の‘Ａ’の以外に拡張文字を、トン（・）キーパッドの上段に‘Ｋ’を、中間に‘Ｉ’を、下段には‘Ｎ’を位置させて表示するようになり、拡張文字の‘Ｋ’を入力するためには左側のトン（・）符号のキーパッドのうちのトン（・）キーパッドを押さえた後、右側のツー（−）符号のキーパッドのうちの右上段に位置したツーツーツー（−−−）キーパッドを押さえることによって‘Ｋ’が生成されるようになる。
【００４５】
図５は、本発明の一実施形態に従う２クリック（two-click）キーパッドを用いた文字入力構造が適用された端末機を示す説明図である。図６は、本発明の一実施形態に従う２クリック（two-click）キーパッドを用いた文字入力構造が適用された他の端末機を示す図である。  図７は、本発明の一実施形態に従う２クリック（two-click）キーパッドを用いた文字入力構造が適用された更に他の端末機を示す説明図である。
【００４６】
ここで、２クリック（two-click）キーパッドに、ハングル文字、英文字、特殊文字、またはその他の多くの国の言語を多様に配置して適用できることは当業者に自明である。
【００４７】
以下、図面を参照しつつ前述した本発明である２クリック（two-click）キーパッドの文字入力方法についてより具体的に説明する。
【００４８】
2010525446.tif 000008
【００４９】
英語の場合、‘ＬＯＶＥ’という文字を入力すると仮定すれば、‘Ｌ’を入力するためにトントントン（・・・）キーパッド１３とツーツー（−−）キーパッド２２を順に押さえて、‘Ｏ’を入力するためにツーツーツー（−−−）キーパッド２３と任意の特定キーパッドを順に押さえて、‘Ｖ’を入力するためにトントントン（・・・）キーパッド１３とツー（−）キーパッド２１を順に押さえて、‘Ｅ’を入力するためにトン（・）キーパッド１１と任意の特定キーパッドを順に押さえれば‘ＬＯＶＥ’という文字が生成されるようになる。
【００５０】
符号‘＠’を入力すると仮定すれば、トントン（・・）キーパッド１２とトントントン（・・・）キーパッド１３を順に押さえれば＠が生成される。上記で分かち書きをしようとすれば、SPACEキーパッド、‘＊’または‘＃’などの特定キーパッドを押さえればよいのであり、ハングル文字または英文字の基本文字は該当キーパッドを２回押さえたり任意の特定キーと組合せて該当文字の入力が可能になる。
【００５１】
以上、本発明の好ましい実施形態を説明したが、本発明は多様な変化と変更が可能であり相当物を使用することができ、上記実施形態を適切に変形して同様に適用できることが明確である。したがって、上記の記載内容は特許請求範囲により定まる本発明の範囲を限定するのではない。
【産業上の利用可能性】
【００５２】
上述したように、本発明は、コンピュータ、ノートブック、ＵＭＰＣ、電子辞書などの入力手段に適用できるだけでなく、セルラーホン、ＰＣＳ電話、ＰＤＡ、ＰＭＰなどのポータブル電子機器の入力手段にも適用できる。
【符号の説明】
【００５３】
１０    １つ以上の連続したトン（・）キーパッド
１１    トン（・）キーパッド
１２    トントン（・・）キーパッド
１３    トントントン（・・・）キーパッド
２０    １つ以上の連続したツー（−）キーパッド
２１    ツー（−）キーパッド
２２    ツーツー（−−）キーパッド
２３    ツーツーツー（−−−）キーパッド
３０    分かち書きと信号ブランク（no  morse  signal）処理のための特定キーパッド
４０、４１    拡張文字
【図１】
2010525446.tif 000010
【図２】
2010525446.tif 000011
【図３】
2010525446.tif 000012
【図４】
2010525446.tif 000013
【図５】
2010525446.tif 000014
【図６】
2010525446.tif 000015
【図７】
2010525446.tif 000016
【図８】
2010525446.tif 000017
【国際調査報告】
2010525446.tif 000018
2010525446.tif 000019